(57)【特許請求の範囲】
【請求項１】
印刷が施されるとともに透明かつ平板状のプラスチック基本シート３の一面３ａに、略直方体状の独立小突子４…を全体に均等に多数有して記録円盤Ｒの記録面Ｒ1 に粘着分離自在に粘着される透明な粘着剤層６を、設けるとともに、外径Ｗが上記記録円盤Ｒの外径Ｗ1 より僅かに大きな寸法の円形であり、かつ、外周に少くとも１個のはがし用突片部１を備え、さらに、隣り合う上記略直方体状の上記独立小突子４…間に、格子状にガスを外部へ逃がすための溝７…を形成したことを特徴とする記録円盤用プロテクター。
【請求項２】
透明の剥離シート８が積層されている請求項１記載の記録円盤用プロテクター。
【発明の詳細な説明】
【０００１】
【発明の属する技術分野】
本発明は、記録円盤用プロテクターに関する。
【０００２】
【従来の技術】
従来、ＣＤやＤＶＤ等の記録円盤は、ケースに収納することにより保管されていた。また、記録円盤の表面に施される印刷は、シルクスクリーンによる印刷だった。
【０００３】
【発明が解決しようとする課題】
しかし、ケースから出し入れするときに、記録円盤の記録保持部を不注意にケースにぶつけて記録円盤の記録保持部を傷つける虞れがあった。また、ケースが記録円盤に対して大きな収納場所を必要とするという欠点があった。また、シルクスクリーンによる印刷は、剥がれ易かった。
【０００４】
そこで、本発明は、記録円盤の記録保持部を傷つける虞れがなく、記録円盤の収納場所が小さくてすむ記録円盤用プロテクターを提供することを目的とする。
【０００５】
【課題を解決するための手段】
上述の目的を達成するために、本発明に係る記録円盤用プロテクターは、印刷が施されるとともに透明かつ平板状のプラスチック基本シートの一面に、略直方体状の独立小突子を全体に均等に多数有して記録円盤の記録面に粘着分離自在に粘着される透明な粘着剤層を、設けるとともに、外径が上記記録円盤の外径より僅かに大きな寸法の円形であり、かつ、外周に少くとも１個のはがし用突片部を備え、さらに、隣り合う上記略直方体状の上記独立小突子間に、格子状にガスを外部へ逃がすための溝を形成したものである。また、透明の剥離シートが積層されているものである。
【０００６】
【発明の実施の形態】
以下、実施の形態を示す図面に基づき、本発明を詳説する。
【０００７】
図１は、本発明の第１の実施の形態の使用状態を示す。この記録円盤用プロテクターは、ＣＤやＤＶＤ等の記録円盤Ｒに着脱自在に貼着して使用される。具体的には、記録円盤Ｒに貼着した状態で、販売・保管等すると良い。この記録円盤用プロテクターは、外径Ｗが記録円盤Ｒの外径Ｗ1 より僅かに大きな寸法の円形とされる。
【０００８】
図２は、記録円盤用プロテクターを示す。１は、記録円盤用プロテクターの外周に備えられたはがし用突片部であって、この実施の形態では１個設けられている。
【０００９】
図３は、記録円盤用プロテクターを、記録円盤Ｒに貼着する様子を示す。具体的には、図３の(a) に示すように、記録円盤Ｒの記録保持部Ｍを被覆状に、矢印Ｙ方向に、貼着される。図３の(b) は、記録円盤用プロテクターを貼着した状態を示す。
【００１０】
記録円盤用プロテクターによって、記録円盤Ｒの記録保持部Ｍが全部被覆されるように構成されるので、記録保持部Ｍが傷付くのを防止することができるとともに、ケースが不要になるので、小さな収納場所にも簡単に収納することができ、携帯するにも至便である。
【００１１】
図４及び図５に示すように、本発明の記録円盤用プロテクターのプロテクター本体２は、透明のプラスチック（例えば、ＰＥＴ、すなわち、ポリエチレンテフタレート）から成る基本シート３と、プラスチック基本シート３の一面３ａに独立小突子４…を多数有して記録円盤Ｒの記録面Ｒ1 ───すなわち、記録円盤Ｒの上下２面のうち、情報が記録される面。図３参照。───に粘着分離自在に粘着される透明の粘着剤層６とから成る。粘着剤層６は、例えば、ウレタン系粘着剤から成る。
【００１２】
独立小突子４は、略直方体に形成される。そして、各独立小突子４…間には、（図５に示すように）格子状に溝７…が形成される。
【００１３】
図６は、第２の実施の形態を示す。すなわち、この記録円盤用プロテクターは、プロテクター本体２の下面２ａに、ＰＥＴから成る透明の剥離シート８が、積層されている。剥離シート８が透明なので、（後述の図７のように）記録円盤用プロテクターの上面に印刷を施したときに、印刷が引立てられる。そして、この記録円盤用プロテクターを使用するには、剥離シート８を剥離させた後に、（第１の実施の形態と同様に）記録円盤Ｒの記録面Ｒ1 （図３参照）に貼付して使用する。剥離シート８を積層した状態で、記録円盤用プロテクターを販売することができる。
【００１４】
図７は、第３の実施の形態の使用状態であって、基本シート３及び粘着剤層６が透明であり、基本シート３の上面３ｂに印刷が施されている（Ｐはインキを示す）。例えば、オフセット印刷にて広告宣伝が印刷されている。印刷は、好みに応じたデザインとすることができる。この印刷を、基本シート３の上面の一部のみに行ったり、半透明のインキＰにて行うと、使用時に、記録面Ｒ1 の銀色の光沢が、透けて見える。すなわち、プロテクター本体２が透明なので、記録円盤Ｒの記録面Ｒ1 で光が反射して一層美しい。
【００１５】
図８及び図９は、記録円盤Ｒの参考例を示す。この記録円盤Ｒは、非記録面Ｒ2 に、記録円盤用ラベルＬを接着又は溶着される。ラベルＬは、ポリカーボネート製フィルムから成るラベル本体10の一面10ａにオフセット印刷が施されたものである（Ｐはインキを示す）。ラベル本体10の他面10ｂは、記録円盤Ｒの非記録面Ｒ2 に接着又は溶着される（11は、接着層又は溶着層を示す）。ラベルＬは、外径Ｗ0 が記録円盤Ｒの外径と同一乃至僅かに小さな寸法の円形である。
【００１６】
なお、本発明は、設計変更自在であって、はがし用突片部１を、記録円盤用プロテクターの外周に２個以上設けるも良い。また、粘着剤層６の材質は、ウレタン系粘着剤以外であっても良い。剥離シート８は、不透明であっても良い。
【００１７】
また、剥離シート８が、粘着剤層６の独立小突子４…に対応する小凹部を有するも好ましい。この場合、剥離シート８と粘着剤層６との間に隙間ができないので、密封性が保たれ、粘着剤層６の粘着能力の劣化を防ぐことができる。
【００１８】
【発明の効果】
本発明は、上述の如く構成されるので、次に記載する効果を奏する。
【００１９】
（請求項１によれば）ケースが不要で、かつ、記録円盤Ｒに記録された情報を保護することができる。記録円盤Ｒをケースに収納する場合と比較すると、収納時（使用時）の厚さや大きさが極めて薄いので、多数の記録円盤Ｒ…でも、かさばらず、取扱いが簡単である。
【００２０】
また、ガスが発生した場合に、独立小突子４…間の溝７からガスを外部へ逃がすことができるので、記録円盤Ｒの記録面Ｒ1 が損傷する虞れがなく、情報が保護される。また、記録円盤Ｒの記録面Ｒ1 に粘着分離自在なので、繰り返し使用することができ、至便である。
【００２１】
また、外径Ｗが記録円盤Ｒの外径Ｗ1 より僅かに大きな寸法の円形なので、記録円盤Ｒの記録保持部Ｍを確実に外部から保護することができる。すなわち、記録円盤Ｒに記録された情報を確実に保護することができる。さらに、はがし用突片部１によって、記録円盤Ｒとの粘着分離を容易かつ確実に行うことができる。
【００２２】
また、基本シート３及び粘着剤層６が透明なので、記録円盤Ｒの記録面Ｒ1 の銀色が反射して、記録円盤Ｒと記録円盤用プロテクターが美しい。
（請求項２によれば）基本シート３及び粘着剤層６の色を容易に確認することができる。
【図面の簡単な説明】
【図１】本発明の第１の実施の形態の使用状態を示す平面図である。
【図２】底面図である。
【図３】説明断面側面図である。
【図４】要部拡大断面側面図である。
【図５】底面図である。
【図６】第２の実施の形態を示す断面側面図である。
【図７】第３の実施の形態を示す断面側面図である。
【図８】記録円盤の参考例を示す断面側面図である。
【図９】底面図である。
【符号の説明】
１  はがし用突片部
２  （プラスチック）基本シート
３ａ  一面
４  独立小突子
６  粘着剤層
８  剥離シート
Ｒ  記録円盤
Ｒ1 記録面
Ｗ  外径
Ｗ1 外径
【図１】
0003579653.tif 000002
【図２】
0003579653.tif 000003
【図３】
0003579653.tif 000004
【図４】
0003579653.tif 000005
【図５】
0003579653.tif 000006
【図６】
0003579653.tif 000007
【図７】
0003579653.tif 000008
【図８】
0003579653.tif 000009
【図９】
0003579653.tif 000010